(57)【特許請求の範囲】
【請求項１】
ホール本体の内壁面に水平方向に延びるステップが設けられ、前記ホール本体の上部にマンホール蓋を固定するためのボルト穴が設けられたマンホールに、出入りするためのマンホール用手摺りであって、
前記ステップに係合する複数の係合部と、
前記複数の係合部が前記ステップにそれぞれ係合した状態で、前記ホール本体の内壁面に当接する当接部と、
前記複数の係合部が前記ステップに係合して前記当接部が前記ホール本体の内壁面に当接した状態で、上方に延びる手摺り部と、
一端部が前記手摺り部に接続され他端部が前記ボルト穴に螺合した状態で、前記手摺り部を引き寄せることで前記当接部を前記ホール本体の内壁面に押圧させて、前記手摺り部の直立状態を保持する保持手段と、
を備えることを特徴とするマンホール用手摺り。
【請求項２】
前記手摺り部に、人が装着する安全昇降具の一端部を係止する被係止部が設けられている、
ことを特徴とする請求項１に記載のマンホール用手摺り。
【発明の詳細な説明】
【技術分野】
【０００１】
この発明は、地下へのマンホールに出入りするためのマンホール用手摺りに関する。
【背景技術】
【０００２】
例えば、地中配電線路を保守・点検する場合、保守員がマンホールから地中に出入りしている。このマンホールの内壁面には、水平方向に延びるステップ（足掛け）が複数配設されているが、地上側には手摺りがないため、最上位のステップに足を掛ける際に不安定となり、体勢を崩したり足を掛け外したりするおそれがある。このため、マンホールに取り付けられるマンホール用手摺りが知られている（例えば、特許文献１参照。）。このマンホール用手摺りは、マンホールの内壁に手摺取付金具が取り付けられ、手摺本体に、手摺取付金具に挿入される差込部と、差込部より延設された水平部と、水平部より上方に延設された手摺部と、を備えるものである。
【０００３】
また、電話・通信関係の工事においては、マンホールの地上側の全周を囲う柵状の昇降具が使用されている。
【先行技術文献】
【特許文献】
【０００４】
【特許文献１】特開２００７−００２４８１号公報
【発明の概要】
【発明が解決しようとする課題】
【０００５】
ところで、特許文献１の技術では、すべてのマンホールの内壁に手摺取付金具を取り付けなければならず、多大な費用と労力とを要する。また、電話・通信関係の工事で使用される昇降具は重量物であり、搬送や設置などに多くの労力・人員を要する。しかしながら、地中配電線路の保守・点検は、２名の保守員で行うのが通例であり、２名の保守員で昇降具の搬送や設置などを行うのは困難である。あるいは、昇降具の搬送や設置などを行うには、保守員を増員する必要がある。
【０００６】
そこでこの発明は、マンホールの改造が不要で、しかも、取り扱いが容易なマンホール用手摺りを提供することを目的とする。
【課題を解決するための手段】
【０００７】
上記課題を解決するために、請求項１の発明は、ホール本体の内壁面に水平方向に延びるステップが設けられ、前記ホール本体の上部にマンホール蓋を固定するためのボルト穴が設けられたマンホールに、出入りするためのマンホール用手摺りであって、前記ステップに係合する複数の係合部と、前記複数の係合部が前記ステップにそれぞれ係合した状態で、前記ホール本体の内壁面に当接する当接部と、前記複数の係合部が前記ステップに係合して前記当接部が前記ホール本体の内壁面に当接した状態で、上方に延びる手摺り部と、一端部が前記手摺り部に接続され他端部が前記ボルト穴に螺合した状態で、前記手摺り部を引き寄せることで前記当接部を前記ホール本体の内壁面に押圧させて、前記手摺り部の直立状態を保持する保持手段と、を備えることを特徴とする。
【０００８】
この発明によれば、複数の係合部をステップに係合して当接部をホール本体の内壁面に当接させると、手摺り部が上方に延びる。そして、保持手段の他端部をボルト穴に螺合させ、手摺り部を引き寄せると、当接部がホール本体の内壁面に押圧されて、手摺り部の直立状態が保持される。このようにしてマンホール用手摺りを取り付けた状態で、手摺り部を持ってマンホールに出入りする。
【０００９】
請求項２の発明は、請求項１に記載のマンホール用手摺りにおいて、前記手摺り部に、人が装着する安全昇降具の一端部を係止する被係止部が設けられている、ことを特徴とする。
【発明の効果】
【００１０】
請求項１の発明によれば、直立状態が保持された手摺り部を持って、安全かつ容易にマンホールに出入りすることができる。また、複数の係合部をステップに係合して当接部をホール本体の内壁面に当接させ、保持手段で手摺り部を引き寄せるだけでよいため、取り付けや取り外しを一人で行うことが可能である。しかも、ステップに係合する複数の係合部と、ホール本体の内壁面に当接する当接部と、上方に延びる手摺り部と、手摺り部を引き寄せる保持手段とを備えるだけであり、マンホールの全周を囲う大掛かりなものではないため、小型化および軽量化が可能で、搬送や保管が容易となる。このようにして、取り扱いが容易であり、しかも、既存のステップやボルト穴を利用するため、マンホールの改造が不要である。
【００１１】
請求項２の発明によれば、被係止部が手摺り部に設けられているため、保守員などが安全昇降具を装着してその一端部を被係止部に係止することで、マンホール用手摺りと保守員などが接続され、保守員などの墜落を確実に防止することができる。
【図面の簡単な説明】
【００１２】
【図１】この発明の実施の形態に係るマンホール用手摺りの取付状態を示す斜視図である。
【図２】図１のマンホール用手摺りの手摺り本体を示す、正面図（ａ）と側面図（ｂ）と背面図（ｃ）と平面図（ｄ）である。
【図３】この発明の実施の形態に係るマンホールを示す平面図である。
【発明を実施するための形態】
【００１３】
以下、この発明を図示の実施の形態に基づいて説明する。
【００１４】
図１は、この発明の実施の形態に係るマンホール用手摺り１の取付状態を示す斜視図である。このマンホール用手摺り１は、地下へのマンホール１００に出入りするための手摺りであり、１体の手摺り本体２と２つのチェーンレバーホイスト（保持手段）３とを備えている。
【００１５】
ここで、この実施の形態では、マンホール１００は、図３に示すように、円穴状のホール本体１０１の内壁面１０１ａに水平方向に延びるステップ（足掛け）１０２が設けられ、ホール本体１０１の上部にマンホール蓋を固定するためのボルト穴１０３が設けられている。すなわち、地表面よりも下がった段差部１０１ｂがホール本体１０１の上部に設けられ、この段差部１０１ｂの上面に２つのボルト穴１０３が対向して（対照に）形成されている。また、２つのボルト穴１０３の中間に位置して、ホール本体１０１の内壁面１０１ａから突出するようにステップ１０２が設置されている。つまり、２つのボルト穴１０３を結ぶ線（中心線）に対向してステップ１０２が設置されている。
【００１６】
手摺り本体２は、図２に示すように、全体が梯子状で、主として、手摺り部２１と、係合部２２と、当接部２３と、被係止部２４と、を備えている。
【００１７】
手摺り部２１は、略梯子型で、垂直に延びる２つの垂直部２１１の間に、複数の（４つの）水平部２１２が設けられ、各水平部２１２には滑り止めが施されている。この手摺り部２１は、人がマンホール１００に出入りする際に、手摺りとして使用されるものであり、後述するように、係合部２２がステップ１０２に係合して当接部２３がホール本体１０１の内壁面１０１ａに当接した状態で、垂直上方に延びるようになっている。また、各垂直部２１１の中央部には、半円状の半リング２５が取り付けられ、この半リング２５に、後述するチェーンレバーホイスト３の第１のフック（一端部）３１が接続可能となっている。
【００１８】
ここで、手摺り部２１の高さ、つまり手摺り本体２の高さは、後述するようにしてマンホール用手摺り１を設置した状態で、人が立ったままの状態で手摺り部２１に手を掛けて、容易にマンホール１００に出入りできるように設定されている。また、手摺り部２１の幅、つまり２つの垂直部２１１の間隔は、複数径のマンホール１００に対応できるように設定されている。
【００１９】
係合部２２は、ステップ１０２に係合するフックであり、手摺り部２１の下端部に配設されている。すなわち、図２（ｂ）に示すように、下方が開放されたカギ状（逆さのＬ字状）で、各垂直部２１１の下端部の正面側に固定され、後述する連結部２６とでステップ１０２を挟んだ状態でステップ１０２に係合するようになっている。
【００２０】
当接部２３は、係合部２２がステップ１０２に係合した状態で、ホール本体１０１の内壁面１０１ａに当接する部材である。すなわち、各垂直部２１１の下端部の背面側に、斜め下方に延びる連結部２６が配設され、この連結部２６の下端部に、垂直に延びる棒状の当接部２３が配設されている。ここで、係合部２２がステップ１０２に係合すると、当接部２３の背面全体がホール本体１０１の内壁面１０１ａに当接するように、当接部２３が配設されている。そして、このようにして係合部２２がステップ１０２に係合して、当接部２３がホール本体１０１の内壁面１０１ａに当接すると、手摺り部２１がマンホール１００から地上に向って垂直に延びるものである。
【００２１】
被係止部２４は、手摺り部２１に設けられ、人が装着する巻き取り式墜落防止器具（安全昇降具）２００の一端部を係止するものである。すなわち、板状で、中央部に係止孔２４ａが形成され、手摺り部２１の各垂直部２１１の上部の正面側に固定されている。そして、図１に示すように、巻き取り式墜落防止器具２００のドラム２０１側のフック（一端部）２０２を係止孔２４ａに掛けられるものである。ここで、巻き取り式墜落防止器具２００は、引き出し巻き取り自在にベルト２０３がドラム２０１に巻かれ、ベルト２０３の自由端部側のフック２０４を人に接続（装着）し、ベルト２０３に急激な負荷が加わった場合にベルト２０３の動きが止まることで、人の墜落などを防止するものである。
【００２２】
チェーンレバーホイスト３は、第１のフック３１が手摺り部２１の半リング２５に接続され、第２のフック３２に接続されたアイボルト（他端部）３３がボルト穴１０３に螺合した状態で、手摺り部２１を引き寄せることで当接部２３をホール本体１０１の内壁面１０１ａに押圧させて、手摺り部２１の直立状態を保持するものである。
【００２３】
すなわち、市販・既製のチェーンレバーホイストで構成され、第２のフック３２に、シャックル３４を介してアイボルト３３が接続されている。また、第１のフック３１と第２のフック３２との間にチェーン３５が配設され、レバー３６を操作することでチェーン３５（フック３１、３２間）が伸縮するようになっている。そして、第１のフック３１を半リング２５に接続し、アイボルト３３をボルト穴１０３に螺合した状態で、レバー３６を操作してチェーン３５を縮め、チェーン３５に張力を与える。これにより、手摺り部２１がボルト穴１０３側に引き寄せられ、当接部２３がホール本体１０１の内壁面１０１ａに押されて、手摺り部２１の直立状態が保持される。つまり、チェーン３５の張力と当接部２３の押圧力とによって、手摺り本体２がボルト穴１０３側に倒れたり半ボルト穴１０３に反り返ったりせず、手摺り本体２の直立状態が維持されるものである。
【００２４】
次に、このような構成のマンホール用手摺り１の作用および使用方法などについて説明する。ここで、地中配電線路を保守・点検するために、保守員がマンホール１００から地中に出入りする場合について説明する。
【００２５】
マンホール用手摺り１を設置するには、まず、手摺り本体２の係合部２２をステップ１０２に係合させて、当接部２３をホール本体１０１の内壁面１０１ａに当接させると、手摺り部２１が上方に延びた状態となる。次に、チェーンレバーホイスト３の第１のフック３１を手摺り部２１の半リング２５に接続し、第２のフック３２側のアイボルト３３をボルト穴１０３に螺合する。続いて、レバー３６を操作してチェーン３５に張力を与え、手摺り部２１をボルト穴１０３側に引き寄せる。これにより、当接部２３がホール本体１０１の内壁面１０１ａに押圧されて、手摺り部２１の直立状態が保持される。
【００２６】
このようにしてマンホール用手摺り１を取り付けた状態で、手摺り部２１を持って保守員がマンホール１００に出入りする。その後、保守・点検などが終了した場合には、チェーンレバーホイスト３のレバー３６を操作してチェーン３５の張力を緩め、アイボルト３３をボルト穴１０３から外し、第１のフック３１を半リング２５から外す。そして、手摺り本体２を持ち上げることで係合部２２の係合を解除して、手摺り本体２を取り外すものである。
【００２７】
以上のように、本マンホール用手摺り１によれば、直立状態が保持された手摺り部２１を持って、安全かつ容易にマンホール１００に出入りすることができる。また、係合部２２をステップ１０２に係合して当接部２３をホール本体１０１の内壁面１０１ａに当接させ、チェーンレバーホイスト３で手摺り部２１を引き寄せるだけでよいため、取り付けや取り外しを一人で行うことが可能である。
【００２８】
しかも、全体が梯子状の手摺り本体２と、市販・既製のチェーンレバーホイスト３とを備えるだけであり、マンホール１００の全周を囲う大掛かりなものではないため、小型化および軽量化が可能で、搬送や保管が容易となる。このようにして、取り扱いが容易であり、しかも、既存のステップ１０２やボルト穴１０３を利用するため、マンホール１００の改造が不要である。
【００２９】
また、被係止部２４が手摺り部２１に設けられているため、保守員が巻き取り式墜落防止器具２００を装着してそのフック２０２を被係止部２４に係止することで、マンホール用手摺り１と保守員が接続・連結され、保守員の墜落を確実に防止することができる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、手摺り本体２が梯子状であるが、プールサイドの手摺りのような形状などであってもよい。また、ホール本体１０１の内壁面１０１ａに１つのステップ１０２が設けられている場合について説明したが、複数のステップ１０２が設けられている場合には、最上位のステップ１０２に係合部２２を係合させればよい。
【００３１】
一方、保持手段をチェーンレバーホイスト３で構成しているが、手摺り部２１を引き寄せられるものであれば、他の器具で構成してもよい。同様に、安全昇降具が巻き取り式墜落防止器具２００の場合について説明したが、その他の器具であってもよい。また、手摺り本体２と保持手段とが別体となっているが、一体的に構成してもよい。
【符号の説明】
【００３２】
１        マンホール用手摺り
２        手摺り本体
２１      手摺り部
２２      係合部
２３      当接部
２４      被係止部
３        チェーンレバーホイスト（保持手段）
３１      第１のフック（一端部）
３３      アイボルト（他端部）
３５      チェーン
３６      レバー
１００    マンホール
１０１    ホール本体
１０１ａ  内壁面
１０２    ステップ
１０３    ボルト穴
２００    巻き取り式墜落防止器具（安全昇降具）
２０２    フック（一端部）
【図１】
0006018112.tif 000002
【図２】
0006018112.tif 000003
【図３】
0006018112.tif 000004